(57)【要約】【課題】キー入力に係る誤操作を未然に回避する。【解決手段】操作者が数字の「５」を誤って重複入力してしまった場合には、駆動制御部３５は、振動部２７を受付振動モードとは相異する注意喚起振動モードで駆動するための制御信号を出力し、これを受けて振動部２７は、該当するキーを注意喚起振動モードで振動させることを通じて、重複入力操作があった旨の注意を操作者に対して喚起する。従って、キー入力に係る誤操作を未然に回避することができる。【選択図】  図４
2009080720.tif 000002
【特許請求の範囲】
【請求項１】
操作者により操作される複数のキーと、当該キーの操作入力を受け付ける受付部と、前記キーを振動させる振動部と、前記受付部で前記キーの操作入力を受け付ける毎に、前記振動部を受付振動モードで駆動するための制御信号を出力する駆動制御部と、を有する情報入力装置であって、
前記駆動制御部は、
前記受付部で前記キーの操作入力を受け付ける毎に、今回と前回のキー入力値を比較し、この比較の結果、今回と前回のキー入力値が同じである旨の判定が下されたとき、前記振動部を前記受付振動モードとは相異する注意喚起振動モードで駆動するための制御信号を出力する、
ことを特徴とする情報入力装置。
【請求項２】
請求項１に記載の情報入力装置であって、
前記キーは、
全押し段階と、当該全押し段階に至る前の半押し段階を少なくとも含み、前記各段階における操作感を操作者に与える機構を備え、
前記受付部は、
当該キーが全押し段階まで押し込まれたときに操作入力を受け付ける、
ことを特徴とする情報入力装置。
【請求項３】
請求項１又は２に記載の情報入力装置であって、
前記注意喚起振動モードでは、
前記受付振動モードとは相異する周波数パターンをもって前記振動部が駆動される、
ことを特徴とする情報入力装置。
【請求項４】
請求項１〜３のうちいずれか一項に記載の情報入力装置であって、
前記振動部は、
前記複数のキーのそれぞれに独立して設けられており、
前記受付振動モードでは、当該複数の各キー毎の属性に応じて予め定められる周波数パターンをもって、該当キーに係る前記振動部が駆動される、
ことを特徴とする情報入力装置。
【発明の詳細な説明】
【技術分野】
【０００１】
本発明は、複数のキーを備えて構成される情報入力装置に係り、特に、キー入力に係る誤操作を未然に回避可能な情報入力装置に関する。
【背景技術】
【０００２】
従来、複数のキーの操作入力を受け付ける受付部と、この受付部によるキー入力内容を表示するための表示部と、を備えて構成される情報入力装置が、例えば携帯情報端末や画像形成装置などの、多様な機器において採用されている。
【０００３】
かかる情報入力装置の一例として、入力部によって数値により設定される暗証番号の入力を受け付けた場合には、暗証番号の入力を受け付ける毎に振動手段によって入力された暗証番号の数値に対応した回数だけ振動部を振動させることで、視覚障害者に対して入力された暗証番号を振動によって知らせるように構成したものが知られている（特許文献１参照）。
【０００４】
特許文献１の技術によれば、視覚障害者に対して、入力された暗証番号を入力された時点で確認させることができる。
【０００５】
しかしながら、特許文献１の技術では、例えば、操作者が数字の「５」を誤って重複入力してしまった場合に、かかる誤操作について注意を喚起することはできない。
【０００６】
【特許文献１】特開２００１−３４３９６号公報
【発明の開示】
【発明が解決しようとする課題】
【０００７】
解決しようとする問題点は、特許文献１の技術では、例えば、操作者が数字の「５」を誤って重複入力してしまった場合に、かかる誤操作について注意を喚起することはできなかった点である。
【課題を解決するための手段】
【０００８】
本発明は、例えば、操作者が数字の「５」を誤って重複入力してしまった場合に、かかる誤操作について注意を喚起することで、キー入力に係る誤操作を未然に回避することが可能な情報入力装置を得ることを目的として、操作者により操作される複数のキーと、当該キーの操作入力を受け付ける受付部と、前記キーを振動させる振動部と、前記受付部で前記キーの操作入力を受け付ける毎に、前記振動部を受付振動モードで駆動するための制御信号を出力する駆動制御部と、を有する情報入力装置であって、前記駆動制御部は、前記受付部で前記キーの操作入力を受け付ける毎に、今回と前回のキー入力値を比較し、この比較の結果、今回と前回のキー入力値が同じである旨の判定が下されたとき、前記振動部を前記受付振動モードとは相異する注意喚起振動モードで駆動するための制御信号を出力する、ことを最も主要な特徴とする。
【発明の効果】
【０００９】
本発明に係る情報入力装置によれば、駆動制御部は、受付部で操作者によるキーの操作入力を受け付ける毎に、今回と前回のキー入力値を比較し、この比較の結果、今回と前回のキー入力値が同じである旨の判定が下されたとき、振動部を受付振動モードとは相異する注意喚起振動モードで駆動するための制御信号を出力するので、従って、例えば、操作者が数字の「５」を誤って重複入力してしまった場合には、駆動制御部は、振動部を受付振動モードとは相異する注意喚起振動モードで駆動するための制御信号を出力し、これを受けて振動部は、注意喚起振動モードで振動することを通じて、重複入力操作があった旨の注意を操作者に対して喚起することが可能となる結果として、キー入力に係る誤操作を未然に回避することができる。
【００１０】
また、本発明は、重複入力操作があったときには、振動部が注意喚起振動モードで振動することを通じて、重複入力操作があった旨の注意を操作者に対して喚起する構成を採用したので、操作者の周囲にいる第三者に対し重複入力操作があった旨を悟られることがなく、セキュリティの側面でも優れている。
【発明を実施するための最良の形態】
【００１１】
キー入力に係る誤操作を未然に回避するといった目的を、受付部でキーの操作入力を受け付ける毎に、今回と前回のキー入力値を比較し、この比較の結果、今回と前回のキー入力値が同じである旨の判定が下されたとき、振動部を受付振動モードとは相異する注意喚起振動モードで駆動するための制御信号を出力する駆動制御部により実現した。
【実施例】
【００１２】
以下、本発明に係る情報入力装置について、図面を参照しつつ詳細に説明する。
【００１３】
［情報入力装置］
図１は、本発明実施例に係る情報入力装置の外観を示す斜視図、図２は、本情報入力装置の操作キー配列を示す説明図、図３は、本情報入力装置の電気的接続に係る概略構成を示す機能ブロック図である。
【００１４】
本発明に係る情報入力装置１１は、例えば、デビットカード等の電子マネーを記憶した携帯型記憶媒体の情報を読み取るためのカードリーダライタを備えるＰＯＳ端末（不図示）に接続されて、暗証番号をキー操作入力する際に使用される。
【００１５】
情報入力装置１１には、キー入力値を表示するためのディスプレイ１３と、操作者により操作される複数のキーが配列されたキー群１５と、が設けられている。ディスプレイ１３の上方には、暗証番号等のディスプレイ１３の表示内容を周囲から覗かれないように保護するためのカバー１７が取り付けられている。
【００１６】
前記キー群１５に属する複数のキーの各々は、全押し段階と、当該全押し段階に至る前の半押し段階を少なくとも含み、前記各段階における操作感を操作者に与える機構を備えている。キー群１５は、図２に示すように、テンキーとしての「０」から「９」までの置数キーと、「＊」及び「＃」からなる記号キーと、「Ａ」，「Ｂ」，及び「Ｃ」からなるアルファベットキーと、キー入力値を確定する際に操作される「Ｅｎｔ」キーと、をそれぞれ配列して構成されている。なお、本発明でいう複数のキーは、上述で例示したキーに限定されることなく、日本語のひらがなやカタカナ、英字のアルファベット、その他各種記号や制御文字などを全て含む概念である。
【００１７】
キー入力に係る誤操作を未然に回避する制御を実行するために、情報入力装置１１は、図３に示すように、各種のデータ処理を実行することで各部の駆動制御を司るＣＰＵ２１と、制御プログラム等の固定的データを予め格納するＲＯＭ２３と、可変的なデータを書換自在に格納するＲＡＭ２５と、ディスプレイ１３と、キー群１５と、複数の各キーにそれぞれ独立して設けられ、各キーに対して制御信号に従う周波数パターンをもって振動を発生させる振動部２７と、例えばＰＯＳ端末等の周辺機器とのデータの授受を行うための通信Ｉ／Ｆ２９とを、バスライン３１を介して接続して構成されている。
【００１８】
ＣＰＵ２１は、キー操作入力を受け付ける受付部３３と、受付部３３でキーの操作入力を受け付ける毎に、複数の各キー毎の属性に応じて予め定められる周波数パターンをもって、該当キーに係る振動部２７を受付振動モードで駆動するための制御信号を出力する機能、並びに、今回と前回のキー入力値を比較し、この比較の結果、今回と前回のキー入力値が同じである旨の判定が下されたとき、振動部２７を受付振動モードとは相異する注意喚起振動モードで駆動するための制御信号を出力する機能を有する駆動制御部３５と、を含んで構成されている。
【００１９】
受付部３３は、複数の各キーが全押し段階まで押し込まれたときに操作入力を受け付けるように構成されている。
【００２０】
ＲＡＭ２１には、受付部３３を介してキー操作入力されるキー入力値（暗証番号）を各桁毎に記憶するための入力値記憶領域(不図示)が備えられている。
【００２１】
［情報入力装置の動作］
次に、本発明実施例に係る情報入力装置の動作について、図面を参照して説明する。図４は、本情報入力装置の動作フローチャート図である。
【００２２】
図４に示すように、ＣＰＵ２１（受付部３３）は、操作者によるキー操作入力の有無を常時監視しており、この監視結果に基づき、操作者によるキー操作入力が行われたか否かに係る判定を行う（ステップＳ１１）。なお、ステップＳ１１の判定は、キー群１５に配列されているキーのうち、いずれかのキーが全押し段階まで押し込まれたか否かを検知することを通じて実行される。また、ステップＳ１１の判定は、操作者によるキー操作入力が行われるまで繰り返し行われる。
【００２３】
ステップＳ１１の判定の結果、操作者によるキー操作入力が行われた旨の判定が下されると、ＣＰＵ２１は、受付部３３で受付けたキー入力値を、ＲＡＭ２５における入力値記憶領域のアドレス「Ｋ１」に格納する（ステップＳ１２）。なお、ＣＰＵ２１は、第一回目のキー入力値をアドレス「Ｋ１」に格納する一方で、第二回目のキー入力値をアドレス「Ｋ２」に格納する。また、ＣＰＵ２１は、後述するように、第三回目のキー操作入力が行われたときには、ＦＩＦＯ（最初に格納されたデータが最初に削除される）のルールに従って、第一回目のキー入力値を削除し、第二回目のキー入力値をアドレス「Ｋ１」に移動し、第三回目のキー入力値をアドレス「Ｋ２」に格納する処理を実行するように動作する（以下、同様の動作を繰り返す）。これと同時に、ＣＰＵ２１は、キー入力数カウンタのカウント値Ｃを「１」だけインクリメント（Ｃ＝Ｃ＋１）する。これにより、カウント値Ｃの初期値が「０」である場合であって、今回のキー入力が初回のものである場合には、インクリメント後のカウント値Ｃの値は「１」となる。
【００２４】
次に、ＣＰＵ２１は、キー入力数カウンタのカウント値Ｃに基づき、カウント値Ｃが「１」を越えているか否かに係る判定を行う（ステップＳ１３）。ステップＳ１３では、カウント値Ｃが「２」となったときに今回と前回のキー入力値を比較するために、この比較を行うための条件を充足しているか否かを判定している。
【００２５】
ステップＳ１３の判定の結果、カウント値Ｃが「１」を越えていない旨の判定が下されたとき、ＣＰＵ２１は、処理の流れをステップＳ１１に戻し、以下の処理を順次実行させる。
【００２６】
一方、ステップＳ１３の判定の結果、カウント値Ｃが「１」を越えている（つまり、カウント値Ｃが「２」であり、少なくとも２回のキー入力がある。）旨の判定が下されたとき、ＣＰＵ２１は、アドレス「Ｋ１」，「Ｋ２」に格納されているキー入力値を比較する（今回と前回のキー入力値を比較する）処理を実行する（ステップＳ１４，Ｓ１５）。ステップＳ１４，Ｓ１５では、今回と前回のキー入力値が同じであるとき、振動部２７を受付振動モードとは相異する注意喚起振動モードで駆動するために、この注意喚起振動モードでの駆動を行うための条件を充足しているか否かを判定している。
【００２７】
ステップＳ１５の判定の結果、アドレス「Ｋ１」，「Ｋ２」に格納されているキー入力値が同じではない（今回と前回のキー入力値が異なる）旨の判定が下されたとき、ＣＰＵ２１は、ＦＩＦＯルールに従って、前回のキー入力値を削除し、今回のキー入力値をアドレス「Ｋ２」から「Ｋ１」に移動（ステップＳ１６）させた後、処理の流れをステップＳ１１に戻し、以下の処理を順次実行させる。
【００２８】
一方、ステップＳ１５の判定の結果、アドレス「Ｋ１」，「Ｋ２」に格納されているキー入力値が同じ（今回と前回のキー入力値が同じ）である旨の判定が下されたとき、ＣＰＵ２１（駆動制御部３５）は、該当するキーに係る振動部２７を受付振動モードとは相異する注意喚起振動モードで駆動するための制御信号を出力する（ステップＳ１７）。具体的には、例えば、操作者が数字の「５」を誤って重複入力してしまった場合には、駆動制御部３５は、振動部２７を受付振動モードとは相異する注意喚起振動モードで駆動するための制御信号を出力し、これを受けて振動部２７は、該当するキーを注意喚起振動モードで振動させることを通じて、重複入力操作があった旨の注意を操作者に対して喚起する。従って、キー入力に係る誤操作を未然に回避することができる。
【００２９】
［実施例の効果］
以上説明したように、本発明実施例に係る情報入力装置１１によれば、例えば、操作者が数字の「５」を誤って重複入力してしまった場合には、駆動制御部３５は、振動部２７を受付振動モードとは相異する注意喚起振動モードで駆動するための制御信号を出力し、これを受けて振動部２７は、該当するキーを注意喚起振動モードで振動させることを通じて、重複入力操作があった旨の注意を操作者に対して喚起するので、キー入力に係る誤操作を未然に回避することができる。
【００３０】
また、重複入力操作があったときには、振動部が注意喚起振動モードで振動することを通じて、重複入力操作があった旨の注意を操作者に対して喚起する構成を採用したので、操作者の周囲にいる第三者に対し重複入力操作があった旨を悟られることがなく、セキュリティの側面でも優れている。
【００３１】
［その他］
本発明は、上述した実施例に限られるものではなく、請求の範囲及び明細書全体から読み取れる発明の要旨、あるいは技術思想に反しない範囲で適宜変更可能であり、そのような変更を伴う省電力モード表示方法及び省電力モード表示装置もまた、本発明における技術的範囲の射程に包含されるものである。
【００３２】
すなわち、本発明に係る情報入力装置は、実施例に示す暗証番号入力用のものに限定されることなく、情報を入力するための複数のキーを備えたあらゆる機器に適用することが可能であることはいうまでもない。
【図面の簡単な説明】
【００３３】
【図１】本発明実施例に係る情報入力装置の外観を示す斜視図である。
【図２】本情報入力装置のキー配列を示す説明図である。
【図３】本情報入力装置の電気的接続に係る概略構成を示す機能ブロック図である。
【図４】本情報入力装置の動作フローチャート図である。
【符号の説明】
【００３４】
１１  情報入力装置
１３  ディスプレイ
１５  キー群（複数のキー）
２１  ＣＰＵ
２７  振動部
３３  受付部
３５  駆動制御部
【図１】
2009080720.tif 000003
【図２】
2009080720.tif 000004
【図３】
2009080720.tif 000005
【図４】
2009080720.tif 000006